(57)【特許請求の範囲】
【請求項１】
左右に回動する一対の把持部を備える操作具の前記把持部に装着し、互いに対向する把持面において被把持物を把持する一対の把持先端具であって、
前記把持面に対し垂直方向に立設され、前記把持面から突出し、被把持物が引掛かるストッパーと、
前記把持面を有し、前記ストッパーをガイドとして前後に往復動する把持体と、
前記把持体を前方へ押し出すスプリングと、
を備え、
前記把持体が押し込まれると前記把持体が後退し、前記ストッパーが前記把持面から突出することを特徴とする把持先端具。
【請求項２】
さらに前記ストッパーを収納可能な、対向する前記把持先端具に設けられた溝又は孔を備えることを特徴とする請求項１に記載の把持先端具。
【請求項３】
さらに前記ストッパーを収納する溝又は孔と、前記溝又は孔に収納され前記ストッパーを突出させるスプリングとを有し、
前記ストッパーが押し込まれると前記ストッパーが前記溝又は孔に収納されることを特徴とする請求項１又は２に記載の把持先端具。
【請求項４】
さらに前記把持面に設けられる複数の突起を有し、
前記突起は、前記把持面の中央部から上下端部側にかけて徐々に高くなるように形成されていることを特徴とする請求項１から３のいずれか１項に記載の把持先端具。
【請求項５】
前記請求項１から４のいずれか１項に記載の把持先端具と、
前記把持先端具が装着される、左右に回動する把持部を備える操作具と、を備え、
前記操作具が間接活線工具であることを特徴とする把持具。
【発明の詳細な説明】
【技術分野】
【０００１】
本発明は、被把持物を把持する際に使用する把持先端具及び把持具に関する。
【背景技術】
【０００２】
配電線の縁線の切断、接続や高圧引下げ線の切断、接続を行う際には、間接活線工具の１つである長尺な絶縁ヤットコを使用して電線を把持し作業を行っている。しかしながら絶縁ヤットコを使用した間接活線作業においては、絶縁ヤットコの把持部（把持面）が小さいため太径の電線の把持が困難であるとともに、曲がった電線の把持が困難であり、電線が把持部から脱落してしまうことがある。また絶縁ヤットコの把持部に設けられている凹凸が小さいため、把持した電線が滑りやすい。このように絶縁ヤットコを使用した間接活線作業においては、電線が把持部から外れ易く、電線を把持する際に力を要するため、長時間作業では疲労度が増す。
【０００３】
間接活線工具を使用して被把持物を把持する際の作業性を向上すべく、把持部を改良した間接活線把持工具や、絶縁ヤットコの把持部に装着して使用するアダプタが提案されている（例えば特許文献１、２参照）。
【先行技術文献】
【特許文献】
【０００４】
【特許文献１】特開２０１４−１０７９２０号公報
【特許文献２】特開２００７−２７６０２４号公報
【発明の概要】
【発明が解決しようとする課題】
【０００５】
特許文献１に記載の間接活線把持工具は、小径の電線が把持部から下方に脱落した際に該電線を把持する補助的な把持機構を備えているが、把持した電線が上方から脱落した場合には、そのまま脱落してしまう。
【０００６】
特許文献２に記載のアダプタは、把持した電線が滑ることを防止可能であるとともに、絶縁ヤットコの把持部に容易に装着可能であり有用であるが、把持部からの電線の脱落を確実に防止するためには十分とは言い難い。
【０００７】
本発明の目的は、把持した被把持物の脱落を確実に防止可能な把持先端具及び把持具を提供することである。
【課題を解決するための手段】
【０００８】
本発明は、左右に回動する一対の把持部を備える操作具の前記把持部に装着し、互いに対向する把持面において被把持物を把持する一対の把持先端具であって、前記把持面に対し垂直方向に立設され、前記把持面から突出し、被把持物が引掛かるストッパーと、前記把持面を有し、前記ストッパーをガイドとして前後に往復動する把持体と、前記把持体を前方へ押し出すスプリングと、備え、前記把持体が押し込まれると前記把持体が後退し、前記ストッパーが前記把持面から突出することを特徴とする把持先端具である。
【０００９】
本発明の把持先端具は、さらに前記ストッパーを収納可能な、対向する前記把持先端具に設けられた溝又は孔を備えることを特徴とする。
【００１１】
本発明の把持先端具は、さらに前記ストッパーを収納する溝又は孔と、前記溝又は孔に収納され前記ストッパーを突出させるスプリングとを有し、前記ストッパーが押し込まれると前記ストッパーが前記溝又は孔に収納されることを特徴とする。
【００１３】
本発明の把持先端具は、さらに前記把持面に設けられる複数の突起を有し、前記突起は、前記把持面の中央部から上下端部側にかけて徐々に高くなるように形成されていることを特徴とする。
【００１４】
また本発明は、前記把持先端具と、前記把持先端具が装着される、左右に回動する把持部を備える操作具と、を備え、前記操作具が間接活線工具であることを特徴とする把持具である。
【発明の効果】
【００１５】
本発明によれば、把持先端具が把持面から突出し被把持物が引掛かるストッパーを備えるので、把持した被把持物が脱落しそうになったとしても被把持物がストッパーに引掛かり、被把持物の脱落が防止される。これにより被把持物の脱落を確実に防止可能な把持先端具及び把持具を提供することができる。
【図面の簡単な説明】
【００１６】
【図１】本発明の第１実施形態の把持具１の正面図である。
【図２】図１のＡ部の部分拡大図である。
【図３】図１の把持先端具１１の斜視図である。
【図４】図１の把持先端具１１を把持面４２側から見た図である。
【図５】電線９１を把持した状態の図１の把持具１の正面図である。
【図６】絶縁カバー９２を把持した状態の図１の把持具１の正面図である。
【図７】本発明の第２実施形態の把持先端具１２の構成及び動作を示す図である。
【図８】図７の把持先端具１２を把持面１０４側から見た図である。
【図９】本発明の第３実施形態の把持先端具１３の斜視図である。
【図１０】本発明の第４実施形態の把持先端具１４の把持面４２側から見た図である。
【図１１】本発明の第５実施形態の把持先端具１５の動作を示す図である。
【図１２】本発明の第６実施形態の把持先端具１６の動作を示す図である。
【図１３】図１２の把持先端具１６を把持面４２側から見た図である。
【図１４】本発明の第７実施形態の把持先端具１７の動作を示す図である。
【図１５】電線９１を把持した状態の本発明の第８実施形態の把持先端具１８を示す図である。
【図１６】本発明の第９実施形態の把持先端具１９の側面図である。
【発明を実施するための形態】
【００１７】
図１は、本発明の第１実施形態の把持具１の正面図である。図２は、図１のＡ部の部分拡大図である。図３は、図１の把持先端具１１の斜視図である。図４は、図１の把持先端具１１を把持面４２側から見た図である。なお図４（ａ）は、絶縁ヤットコ７１の可動把持片７７に装着された把持先端具１１の図であり、図４（ｂ）は、絶縁ヤットコ７１の固定把持片７４に装着された把持先端具１１の図である。図５は、電線９１を把持した状態の図１の把持具１の正面図である。図６は、絶縁カバー９２を把持した状態の図１の把持具１の正面図である。
【００１８】
本実施形態の把持具１は、例えば、電線９１や絶縁カバー９２等の被把持物を把持する際に使用する工具である。把持具１は、被把持物を把持する一対の把持先端具１１と、把持先端具１１を操作する操作具７１とを有する。なお絶縁カバー９２は、例えば、電線を分岐する際に使用される分岐カバーであり、特定のものに限定されるものではない。
【００１９】
操作具７１は、把持先端具１１を支持し、開閉するものであり、ここでは絶縁ヤットコ７１を使用する。絶縁ヤットコ７１は、間接活線工具の１つであり、先端部に把持部７３を有する。把持部７３は、固定把持片７４と可動把持片７７とからなり、固定把持片７４と可動把持片７７とは回動軸８０を介して回動自在に連結されている。
【００２０】
固定把持片７４は、外側に張り出すように湾曲しており、先端部７５はほぼ平坦となっている。固定把持片７４は、中央部において回動軸８０を介して可動把持片７７と連結し、基端部７６は、主操作棒８１に連結する。
【００２１】
可動把持片７７は、固定把持片７４に対向するように位置し、固定把持片７４と反対方向の外側に張り出すように湾曲しており、先端部７８はほぼ平坦となっている。可動把持片７７は中央部において回動軸８０を介して固定把持片７４と連結し、基端部７９は、連結軸８３を介して副操作棒８２に回動自在に連結する。
【００２２】
主操作棒８１及び副操作棒８２は、共に絶縁性の部材からなる長尺の棒状体であり、途中に水切り鍔（図示省略）が取付けられている。副操作棒８２の基端部には、副操作棒８２を動かすためのハンドルレバー（図示省略）が設けられており、ハンドルレバーを操作することで副操作棒８２が往復動する。これに伴い副操作棒８２に連結する可動把持片７７が、回動軸８０を中心に回動し、把持部７３が開閉する。
【００２３】
絶縁ヤットコ７１には、固定把持片７４の角度を可変可能な絶縁ヤットコなど種々の形態のものがある。絶縁ヤットコ７１は、把持先端具１１を把持部７３（固定把持片７４の先端部７５、可動把持片７７の先端部７８）に取付け可能であり、把持先端具１１を開閉することができればよく特定の形態の絶縁ヤットコに限定されるものではない。また本実施形態では、操作具に絶縁ヤットコ７１を使用するが、絶縁ヤットコ７１と同様に把持先端具１１を取付け可能で、把持先端具１１を安全に開閉することができれば他の間接活線工具であってもよい。
【００２４】
把持先端具１１は、操作具７１の把持部７３に装着して使用される。把持先端具１１は、本体２１と、操作具７１からの脱落を防止する係合ピン３１と、把持面４２を有する把持体４１と、被把持物の脱落を防止する４つの円柱体のストッパー５１と、ストッパー５１を出没させる出没手段である４つのスプリング６１とを備える。なお本発明の把持先端具の把持面において、操作具７１側を下、反対側を上とする。
【００２５】
本体２１は、略直方体のブロックであり、操作具７１の把持部７３が挿入される開口部２２と、開口部２２に連通するように上面２６に穿設され係合ピン３１が取付けられる貫通孔（図示省略）と、ストッパー５１及びスプリング６１を収納する４つの円孔２４とを備える。
【００２６】
本体２１の大きさは、操作具７１の把持部７３（固定把持片７４の先端部７５、可動把持片７７の先端部７８）が縦３０ｍｍ×横２５ｍｍであるのに対し、縦５０ｍｍ×横６０ｍｍである。ただし把持部７３及び本体２１の大きさは、これに限定されるものではなく、被把持物に合わせて適宜決めることができる。
【００２７】
本体２１の材質は、被把持物を把持したときに破損しない強度を有する軽い材質が好ましいが、特定の材質に限定されるものではなく、例えば、金属や合成樹脂を材料として用いることができる。また用途に応じて、絶縁性や耐熱性等を有する材料を用いてもよい。
【００２８】
開口部２２は、操作具７１の把持部７３にしっかり固定することができるように把持部７３（固定把持片７４の先端部７５又は可動把持片７７の先端部７８）とほぼ同じ大きさの空間を有する。
【００２９】
円孔２４は、本体２１の下面２７から上面２６に貫通するように穿設され、鍔状に形成された受圧部２５を上面２６の方の端部に備え、受圧部２５がスプリング６１を支持する。円孔２４は、本体２１の四隅近傍に１つずつ穿設されている。またストッパー５１同士が干渉しないように、一対の把持先端具１１において円孔２４は、互いに重ならないように水平方向にずらして配置されている。
【００３０】
円孔２４は、ストッパー５１及びスプリング６１を上下動自在に収納すべく、後述するストッパー５１の受圧部５２及びスプリング６１の外径よりも大径である。また受圧部２５は、スプリング６１を支持するとともにストッパー５１が挿通可能に、スプリング６１の内径よりも小径に、かつストッパー５１の外径よりも大径に形成されている。
【００３１】
係合ピン３１は、ピン３２と円筒状の基台３３と、スプリング（図示省略）とを備え、基台３３が本体２１の上面２６に穿設された貫通孔を覆うように取付けられている。係合ピン３１は、基台３３内に配置されたスプリングにより、先端が開口部２２内に突出するように付勢されている。係合ピン３１を開口部２２側と反対方向に引き上げ、操作具７１の把持部７３を開口部２２に挿入し、係合ピン３１を離せば、ピン３２の先端部が、操作具７１の把持部７３に設けられた係止孔（図示省略）に嵌り込み、把持先端具１１が操作具７１の把持部７３に固定される。係合ピン３１の材質は、本体２１の材質と同様である。
【００３２】
なお、本体２１の開口部２２、係合ピン３１は、把持先端具１１を操作具７１の把持部７３に安定的に取付けることができるものであればよく、上記実施形態に限定されるものではない。また本体２１の開口部２２、係合ピン３１は、把持先端具１１を操作具７１の把持部７３に着脱可能に装着する手段であるから、これらに代え、他の装着手段を用いてもよい。例えば、本体２１に貫通孔を設け、さらに操作具７１の把持部７３にねじ孔を設け、ボルト止めしてもよい。
【００３３】
把持体４１は、平板材であり、被把持物を把持する把持面４２と、ストッパー５１を挿通させる挿通孔４３とを備え、本体２１の下面２７に取付けられる。把持体４１の大きさ（面積）は、本体２１の下面２７と略同一である。把持体４１を本体２１に取付ける方法は、特定の方法に限定されるものではなく、溶着や接着剤を用いた接着、圧入、スナップフィット等による係合等の方法を用いることができる。なお把持体４１の材質は、本体２１の材質と同様である。
【００３４】
把持面４２は、滑り止めとして表面がジグザグ状に形成されている。なお把持面４２の形状は、これに限定されるものではなく、例えば、後述する第２実施形態の把持先端具１２の把持面のように十字状であってもよい。また本実施形態の把持先端具１１では、ストッパー５１により被把持物の脱落が防止されるので、把持面４２は平らでもよい。
【００３５】
挿通孔４３は、本体２１の円孔２４と連通するように４箇所に穿設されており、ストッパー５１が挿通可能でストッパー５１の受圧部５２が挿通不能に、ストッパー５１の外径よりも大径に、かつ受圧部５２の外径よりも小径に形成されている。なお挿通孔４３は、ストッパー５１に被把持物が引掛かったときにストッパー５１が、がたつかないように、ストッパー５１の外径に対して大きくし過ぎない方がよい。
【００３６】
ストッパー５１は、円柱体であり、中央部に鍔状の受圧部５２を備える。ストッパー５１は、受圧部５２がスプリング６１の端部と把持体４１との間に位置するように円孔２４に配置され、把持体４１の挿通孔４３から出没する。ストッパー５１は、操作具７１の把持部７３を開いている状態では、スプリング６１の作用により把持面４２から突出した状態となる。なおストッパー５１の材質は、本体２１の材質と同様である。
【００３７】
スプリング６１は、圧縮コイルばねであり、円孔２４に収納され、円孔２４の受圧部２５とストッパー５１の受圧部５２とで挟み込まれるように本体２１に組込まれる。
【００３８】
なおスプリング６１の特性及び寸法、ストッパー５１、円孔２４の長さは、ストッパー５１を把持面４２から突出しない位置まで押し込むことができるように決められている。
【００３９】
本実施形態の把持具１の把持先端具１１は、本体２１の円孔２４にスプリング６１を挿入し、スプリング６１にストッパー５１を挿入し、その上から把持体４１をストッパー５１が挿通孔４３を挿通するように被せ、本体２１に把持体４１を取付けて構成される。
【００４０】
次に被把持物を電線９１として本実施形態の把持具１の使用例について説明する。ここで電線９１は、把持先端具１１の上下のストッパー５１の間隔よりも小さい被把持物の代表例である。
【００４１】
絶縁ヤットコ７１のハンドルレバーを操作し、把持部７３（把持先端具１１）を開いた状態で、電線９１が上下のストッパー５１の間に配置されるように把持具１を移動させる（図１参照）。
【００４２】
絶縁ヤットコ７１のハンドルレバーを操作し把持部７３の間隔を狭め、電線９１を把持する（図５参照）。このとき電線９１は、上下のストッパー５１に挟まれた状態となるので、電線９１が把持面４２上を滑ったとしても上部のストッパー５１に引掛かるので電線９１の脱落が確実に防止される。なお左右の把持先端具１１のストッパー５１同士は、位置をずらして配置されているので干渉することはない。
【００４３】
続いて被把持物を絶縁カバー９２として本実施形態の把持具１の使用例について説明する。ここで絶縁カバー９２は、把持先端具１１の上下のストッパー５１の間隔よりも大きい被把持物の代表例である。
【００４４】
絶縁ヤットコ７１のハンドルレバーを操作し、把持部７３を開いた状態で、絶縁カバー９２を把持することのできる位置に把持具１を移動させる。
【００４５】
絶縁ヤットコ７１のハンドルレバーを操作し把持部７３の間隔を狭めると、ストッパー５１が絶縁カバー９２に接触して押し込まれる。そのまま把持部７３の間隔を狭めると、ストッパー５１が押し込まれた状態で把持面４２が絶縁カバー９２に接触する（図６参照）。このように絶縁カバー９２をストッパー５１と把持面４２とで、しっかりと把持することができる。
【００４６】
なおストッパー５１が押し込まれると、ストッパー５１の後端側が円孔２４（本体２１の上面２６）から突出するが、後述する第２実施形態の把持先端具１２のように、ストッパー１０５が押し込まれたときにストッパー１０５の後端側が本体１０１の上面２６から突出しないように構成することも可能である。
【００４７】
以上のように、本実施形態の把持具１を用いると、電線９１等の上下のストッパー５１の間隔よりも小さい被把持物を把持するときには、被把持物が脱落しそうになったとしても被把持物がストッパー５１に引掛かるので、被把持物の脱落を確実に防止することができる。これにより電線９１等の脱落による地絡事故や短絡事故を防止することができ、間接活線作業の安全性を確保することができる。また電線９１等を把持する際に要する力を軽減することができ、間接活線作業の疲労を軽減することができる。
【００４８】
また本実施形態の把持具１では、ストッパー５１の先端面が把持面４２と同じ高さになるまでストッパー５１を押し込むことができるので、絶縁カバー９２等の上下のストッパー５１の間隔よりも大きい被把持物を把持する場合でも、被把持物を把持面４２で把持することができるので、把持先端具１１を装着したまま被把持物をしっかりと把持することができる。
【００４９】
さらに把持先端具１１の把持面４２が絶縁ヤットコ７１の把持部７３の把持面（図示省略）よりも大きいので、絶縁カバー９２等の上下のストッパー５１の間隔よりも大きい被把持物を把持する場合においても、把持先端具１１を使用しない場合に比べ、被把持物を容易に把持することができる。
【００５０】
また左右の把持先端具１１において、ストッパー５１同士が干渉しないように位置をずらしているので、実質的に被把持物（電線９１）が引掛かるストッパー５１の数が増え、被把持物の脱落をより確実に防止することができる。
【００５１】
図７は、本発明の第２実施形態の把持先端具１２の構成及び動作を示す図である。なお図７（ａ）は、把持先端具１２が開いているときの図であり、図７（ｂ）は、図７（ａ）のＢ部の部分拡大図であり、図７（ｃ）は、把持先端具１２が閉じたときの図である。図８は、図７の把持先端具１２を把持面１０４側から見た図である。なお図８（ａ）は、絶縁ヤットコ７１の可動把持片７７に装着される把持先端具１２の図であり、図８（ｂ）は、絶縁ヤットコ７１の固定把持片７４に装着される把持先端具１２の図である。図１から図６に示す第１実施形態の把持具１の把持先端具１１と同一の構成には同一の符号を付して説明を省略する。
【００５２】
本実施形態の把持先端具１２は、第１実施形態の把持具１の把持先端具１１と基本的構成は同じであるが、ストッパー１０５の形状及び配置が異なる。また把持面１０４がジグザグ状ではない。本実施形態の把持先端具１２の本体１０１は、円孔２４に代えて、本体１０１の下面２７から掘り込まれ、底面１０３を有する断面凹状の丸溝１０２を備える。ストッパー１０５及びスプリング６１は、丸溝１０２に収納される。
【００５３】
丸溝１０２は、第１実施形態の把持具１の円孔２４とは異なり、左右の把持先端具１２において同位置に形成されている。なお丸溝１０２の径は、円孔２４の径と同じ要領で決められる。
【００５４】
把持体１０３の把持面１０４は、滑り止めとして複数の矩形の凸部が形成された形状となっている。
【００５５】
ストッパー１０５は、円柱体であり、鍔状の受圧部５２が片端に形成されており、第１実施形態の把持具１のストッパー５１に比べて長さが短い。
【００５６】
本実施形態の把持先端具１２は、丸溝１０２にスプリング６１を挿入し、ストッパー１０５の受圧部５２が丸溝１０２の底面１０３側に向いた状態でストッパー１０５をスプリング６１に載せ、その上から把持体１０３をストッパー１０５が挿通孔４３を挿通するように被せ、把持体１０３を本体１０１に取付けて構成される。
【００５７】
次に本実施形態の把持先端具１２の動作について説明する。把持先端具１２を絶縁ヤットコ７１に装着し、絶縁ヤットコ７１のハンドルレバーを操作し把持部７３（把持先端具１２）の間隔を狭める。このとき左右の把持先端具１２の下側のストッパー１０５同士が当接する（図７（ａ）参照）。さらに把持部７３の間隔を狭めると、ストッパー１０５同士が押し込み合い、把持面１０４同士が密接する（図７（ｃ）参照）。
【００５８】
このように本実施形態の把持先端具１２は、左右の把持先端具１２においてストッパー１０５の位置がずれていないが、ストッパー１０５同士が押し込みあうことで把持面１０４同士が接するまで把持部７３（把持先端具１２）の間隔を狭めることができるので、第１実施形態の把持具１の把持先端具１１と同様、被把持物が上下のストッパー１０５の間に収まるか否かに関わらず、被把持物をしっかりと把持することができる。
【００５９】
図９は、本発明の第３実施形態の把持先端具１３の斜視図である。図１から図６に示す第１実施形態の把持具１の把持先端具１１と同一の構成には同一の符号を付して説明を省略する。本実施形態の把持先端具１３は、把持面４２及びストッパー１１３が本体１１１に一体的に形成されている。また把持体４１及びスプリング６１を有しない。
【００６０】
本実施形態の把持先端具１３の本体１１１は、下面２７が把持面４２となり、下面２７から突出するように立設された円柱状のストッパー１１３を備え、第２実施形態の把持先端具１２と同様、円孔２４に代えて、丸溝１０２を備える。
【００６１】
ストッパー１１３は、左右の把持先端具１３においてストッパー１１３同士が干渉しないように位置をずらして配置されている。これにより把持面４２同士が接するまで左右の把持先端具１３を閉じることが可能となる。
【００６２】
丸溝１０２は、対向する把持先端具１３のストッパー１１３が挿通可能に、対向する把持先端具１３のストッパー１１３と同位置に形成されている。丸溝１０２の径は、ストッパー１１３が挿通し易いようにストッパー１１３の外径よりも多少大きいことが好ましい。
【００６３】
本実施形態の把持先端具１３は、ストッパー１１３に被把持物が引掛かったときにストッパー１１３が、がたつくことがないので、電線９１等の上下のストッパー１１３の間隔よりも小さい被把持物を把持する際に好適に使用することができる。ただし絶縁カバー９２等の上下のストッパー１１３の間隔よりも大きい被把持物を把持する際にはストッパー１１３が押し込まれないので、ストッパー１１３で把持する。あるいは、把持先端具１３を絶縁ヤットコ７１から外し絶縁ヤットコ７１の把持部７３で把持してもよい。
【００６４】
図１０は、本発明の第４実施形態の把持先端具１４の把持面４２側から見た図である。図１から図６に示す第１実施形態の把持具１の把持先端具１１と同一の構成には同一の符号を付して説明を省略する。本実施形態の把持先端具１４は、第１実施形態の把持具１の把持先端具１１と基本的構成は同じであるが、ストッパー１２３の受圧部５２よりも先端側、及び把持体１２１の挿通孔１２２が半円状に形成されている。
【００６５】
ストッパー１２３及び挿通孔１２２は、半円状に限定されるものではなく、上下方向における内側の面が平面状に形成されていればよい。
【００６６】
本実施形態の把持先端具１４では、例えば、角柱体の被把持物を把持する際には、ストッパー１２３の平面部が被把持物に接するので、安定した状態で把持することができる。このように本発明の把持先端具のストッパーの形状は、特定の形状に限定されるものではなく、被把持物に合わせて適宜決めることができる。
【００６７】
図１１は、本発明の第５実施形態の把持先端具１５の動作を示す図である。なお図１１（ａ）は、把持先端具１５が開いた状態を示す図であり、図１１（ｂ）は、把持先端具１５が電線９１を把持した状態を示す図である。図１から図６に示す第１実施形態の把持具１の把持先端具１１と同一の構成には同一の符号を付して説明を省略する。本実施形態の把持先端具１５は、把持体１３２が往復動することでストッパー１３４を出没させる。また本体１３１が円孔２４を有しない。
【００６８】
把持体１３２は、ストッパー１３４を挿通させる挿通孔４３の周囲に後述するストッパー１３４のフランジ１３５が嵌り込む円形の凹部１３３を把持面４２に備える。
【００６９】
ストッパー１３４は、先端に鍔状のフランジ１３５を備え、本体１３１に取付けられる。ストッパー１３４は、把持体１３２が往復動する際のガイドとしても機能する。またストッパー１３４のフランジ１３５は、把持体１３２のストッパーとして機能する。ストッパー１３４を本体１３１に取付ける方法は、特定の方法に限定されるものではなく、溶着や、接着剤を用いた接着、圧入、螺合等の公知の方法を用いればよい。またストッパー１３４の配置は、第１実施形態の把持具１のストッパー５１の配置と同じである。
【００７０】
本実施形態の把持先端具１５は、把持体１３２の把持面４２側からストッパー１３４を挿通孔４３に挿通させ、ストッパー１３４のフランジ１３５とスプリング６１とで把持体１３２を挟み込むようにスプリング６１をストッパー１３４に取付け、ストッパー１３４を本体１３１に取付けて構成される。
【００７１】
本実施形態の把持先端具１５では、把持先端具１５が開いた状態において、把持体１３２の凹部１３３とストッパー１３４のフランジ１３５とが当接するまで把持体１３２がスプリング６１により前方へ押出されており、把持体１３２が押し込まれることでストッパー１３４が把持面４２から突出する。
【００７２】
次に被把持物を電線９１として本実施形態の把持先端具１５の動作について説明する。把持先端具１５を絶縁ヤットコ７１に装着し、絶縁ヤットコ７１のハンドルレバーを操作し、把持部７３（把持先端具１５）を開いた状態で、電線９１が上下のストッパー１３４の間に配置されるように絶縁ヤットコ７１を移動させる。このとき把持先端具１５は、把持体１３２がスプリング６１により前方へ押出されており、把持体１３２の凹部１３３とストッパー１３４のフランジ１３５とが当接した状態である（図１１（ａ）参照）。
【００７３】
絶縁ヤットコ７１のハンドルレバーを操作し把持部７３の間隔を狭め、電線９１を把持する。このとき把持体１３２が押し込まれ、ストッパー１３４が把持面４２から突出する（図１１（ｂ）参照）。第１実施形態の把持具１と同様に、電線９１が上下のストッパー１３４に挟まれた状態となり、電線９１の脱落を防止することができる。
【００７４】
また絶縁カバー９２等の上下のストッパー１３４の間隔よりも大きい被把持物を把持面４２全体で把持する場合には、把持体１３２が押し込まれずに把持面４２が被把持物に接し、被把持物をしっかりと把持することができる。
【００７５】
図１２は、本発明の第６実施形態の把持先端具１６の動作を示す図である。なお図１２（ａ）は、把持先端具１６が開いた状態を示す図であり、図１２（ｂ）は、把持先端具１６が電線９１を把持した状態を示す図である。図１３は、図１２の把持先端具１６を把持面４２側から見た図である。なお図８（ａ）は、絶縁ヤットコ７１の可動把持片７７に装着される把持先端具１６の図であり、図８（ｂ）は、絶縁ヤットコ７１の固定把持片７４に装着される把持先端具１６の図である。図１１に示す第５実施形態の把持先端具１５と同一の構成には同一の符号を付して説明を省略する。
【００７６】
本実施形態の把持先端具１６は、第５実施形態の把持先端具１５と基本的構成は同じであるが、ストッパー１４３の形状及び配置が異なる。本体１４１は、下面２７から上面２６に貫通した円孔１４２と、一体的に形成された角柱体のストッパー１４３とを４つずつ備える。円孔１４２は、後述するスプリングガイド１４６が挿通可能に穿設されている。
【００７７】
ストッパー１４３は、先端に鍔状のフランジ１４４を備える。ストッパー１４３は、把持体１４５が往復動する際のガイドとしても機能し、フランジ１４４は、把持体１４５のストッパーとして機能する。
【００７８】
ストッパー１４３は、左右の把持先端具１６のストッパー１４３同士が干渉しないように、片方の把持先端具１６では四隅に配置され、もう一方の把持先端具１６では対向するストッパー１４３に干渉しない位置まで水平方向にずらして配置されている。
【００７９】
把持体１４５は、把持面４２の裏側の面から立設された４本のスプリングガイド１４６と、ストッパー１４３のフランジ１４４が嵌り込むように把持面４２に形成された凹部１４７とを備える。なおスプリングガイド１４６の配置、数、形状、長さは、特定のものに限定されるものではなく、把持体１４５が安定して往復動可能に、適宜決めればよい。またスプリングガイド１４６を設けずにスプリング６１を把持体１４５に直接、接着等の方法で取付けてもよい。
【００８０】
本実施形態の把持先端具１６は、例えば、スプリングガイド１４６を取付ける前の状態の把持体１４５を本体１４１の下面２７側に組込み、スプリングガイド１４６を本体１４１の上面２６側から円孔１４２、スプリング６１に挿通させて把持体１４５に取付けて構成される。スプリングガイド１４６を把持体１４５に取付ける方法は、特定の方法に限定されるものではなく、溶着や、接着剤を用いた接着、圧入、螺合等の公知の方法を用いればよい。
【００８１】
本実施形態の把持先端具１６の動作は、第５実施形態の把持先端具１５と同様であるため説明を省略する。
【００８２】
図１４は、本発明の第７実施形態の把持先端具１７の動作を示す図である。なお図１４（ａ）は、把持先端具１７が開いた状態を示す図であり、図１４（ｂ）は、把持先端具１６が閉じた状態を示す図である。図１から図６に示す第１実施形態の把持具１の把持先端具１１と同一の構成には同一の符号を付して説明を省略する。本実施形態の把持先端具１７は、円柱体のストッパー５１に代えて、回動するヒンジ様のストッパー１５４を備える。また把持体、スプリングを有しない。
【００８３】
本実施形態の把持先端具１７の本体１５１は、下面２７にストッパー１５４を収納する角溝１５２を４箇所に備える。
【００８４】
ストッパー１５４は、ヒンジ様の部材であり、回動軸１５５と、ねじりコイルばね（図示省略）とを備え、９０度よりも小さい範囲で回動する。ストッパー１５４は、一片が本体１５１の角溝１５２の底面１５３に固定され、もう一片が回動して角溝１５２から出没する。
【００８５】
またストッパー１５４は、開き切った状態で少し内側に傾くように構成されている。ストッパー１５４が開き切った状態で把持面４２から垂直に突出するように構成すると、左右の把持先端具１７を閉じるときにストッパー１５４が開く方向へ力が加わってしまう恐れがある。
【００８６】
なおストッパー１５４（及び角溝１５２）の配置は、第１実施形態の把持具１の把持先端具１１のように、左右の把持先端具１７において対向するストッパー１５４同士が干渉しないようにずらした配置としてもよく、第２実施形態の把持先端具１２のように、左右の把持先端具１７において対向するストッパー１５４同士が互いに押し込み合うように重なる配置としてもよい。
【００８７】
次に本実施形態の把持先端具１７の動作について説明する。把持先端具１７を絶縁ヤットコ７１に装着し、絶縁ヤットコ７１のハンドルレバー（図示省略）を操作し把持部７３（把持先端具１７）の間隔を狭める（図１４（ａ）参照）。
【００８８】
絶縁ヤットコ７１の把持部７３の間隔をさらに狭めると、ストッパー１５４が把持面４２（又は対向するストッパー１５４）に押し込まれ角溝１５２に収納される。そのまま把持面４２同士が接するまで把持部７３の間隔を狭めることができる（図１４（ｂ）参照）。
【００８９】
本実施形態の把持先端具１７のように、本発明の把持具及び把持先端具におけるストッパーは、前後に出没するものに限定されるものではない。
【００９０】
図１５は、電線９１を把持した状態の本発明の第８実施形態の把持先端具１８を示す図である。図１から図６に示す第１実施形態の把持具１の把持先端具１１と同一の構成には同一の符号を付して説明を省略する。本実施形態の把持先端具１８は、円柱体のストッパー５１に代えて、突起状のストッパー１６２を備える。また把持体、スプリングを有しない。
【００９１】
本実施形態の把持先端具１８は、本体１６１の下面２７である把持面４２に複数の円錐突起状のストッパー１６２を備える。ストッパー１６２の先端は、被把持物、例えば、電線９１の被覆等を傷めないように形成されている。ストッパー１６２は、電線９１のように把持面４２よりも小さい被把持物を把持したときに、上下方向において被把持物が把持面４２の中央に移動するように、中央部が低く、上下端部側にかけて徐々に高くなるように形成されている。これにより把持した被把持物の脱落を防止する。
【００９２】
なおストッパー１６２は、左右の把持先端具１８において干渉しないように位置をずらして配設されていてもよく、左右の把持先端具１８において衝突するように同位置に配設されていてもよい。
【００９３】
図１６は、本発明の第９実施形態の把持先端具１９の側面図である。図１から図６に示す第１実施形態の把持具１の把持先端具１１と同一の構成には同一の符号を付して説明を省略する。本実施形態の把持先端具１９は、第１実施形態の把持具１の把持先端具１１と基本的構成は同一であるが、把持面４２に突起状のストッパー１６２を備える。
【００９４】
本実施形態の把持先端具１９は、円柱体のストッパー５１及び突起状のストッパー１６２の２つのストッパーを備えるので、電線９１等の把持面４２よりも小さい被把持物を把持する際に好適に用いることができる。ただし、絶縁カバー９２等の把持面４２よりも大きい被把持物を把持する際には、ストッパー１６２を有しない第１実施形態の把持具１の把持先端具１１を用いた方が被把持物をしっかりと把持することができる。
【００９５】
以上、第１から第９実施形態の把持具１及び把持先端具１１、１２、１３、１４、１５、１６、１７、１８、１９を用いて、本発明の把持具及び把持先端具を説明したが、本発明の把持具及び把持先端具は、上記実施形態に限定されるものではなく要旨を変更しない範囲で変形することができる。
【００９６】
例えば、第１実施形態の把持具１の把持先端具１１の一方を絶縁ヤットコ７１の固定把持片７４に装着し、第５実施形態の把持先端具１５の一方を絶縁ヤットコ７１の可動把持片７７に装着してもよく、これ以外の組合せで把持先端具を絶縁ヤットコ７１に装着して使用することもできる。
【００９７】
また突起状のストッパー１６２は、第１実施形態の把持具１の把持先端具１１以外においても把持面４２、１０４に付加することができる。
【００９８】
第１実施形態の把持具１の把持先端具１１において、本体２１と把持体４１とは、別体としたが、一体的に形成されていてもよい。例えば、本体２１の上面２６側を別体とし、ストッパー５１、スプリング６１を円孔２４に挿入した後に、上面２６を本体２１に取付けるようにしてもよい。
【００９９】
また第１実施形態の把持具１において、絶縁カバー９２等の上下のストッパー５１の間隔よりも大きい被把持物を把持する場合、把持面４２が被把持物に平行に接するように、絶縁ヤットコ７１に代えて、固定把持片７４の位置、角度を可変可能な絶縁ヤットコを使用することもできる。
【０１００】
ストッパーの数は、特定の数に限定されるものではない。例えば、円柱体のストッパーを上下にそれぞれ３本以上配設してもよく、被把持物の脱落を防止可能であれば上下１本ずつでもよい。また上側（又は下側）のストッパーのみで被把持物の脱落を十分に防止可能であれば、下側（又は上側）のストッパーを設けなくてもよい。ストッパーの配置も、特定の配置に限定されるものではなく、被把持物に合わせて、脱落を防止可能に適宜決めればよい。
【０１０１】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【０１０２】
１  把持具
１１、１２、１３、１４、１５、１６、１７、１８、１９  把持先端具
２４、１４２  円孔
４２、１０４  把持面
５１、１０５、１１３、１２３、１３４、１４３、１５４、１６２  ストッパー
６１  スプリング
７１  絶縁ヤットコ
７３  把持部
９１  電線
９２  絶縁カバー
１０２  丸溝
１３２、１４５  把持体
１５２  角溝
【図１】
0005985550.tif 000002
【図２】
0005985550.tif 000003
【図３】
0005985550.tif 000004
【図４】
0005985550.tif 000005
【図５】
0005985550.tif 000006
【図６】
0005985550.tif 000007
【図７】
0005985550.tif 000008
【図８】
0005985550.tif 000009
【図９】
0005985550.tif 000010
【図１０】
0005985550.tif 000011
【図１１】
0005985550.tif 000012
【図１２】
0005985550.tif 000013
【図１３】
0005985550.tif 000014
【図１４】
0005985550.tif 000015
【図１５】
0005985550.tif 000016
【図１６】
0005985550.tif 000017